(57)【要約】【課題】  冷凍車又は冷蔵車庫内におけるパネルの取り付けを容易に行うことのできる中仕切り壁を提供すること。【解決手段】  中仕切り壁３は、庫内２を仕切るパネル１０と、庫内２において所定方向に移動可能に設けられた移動フレーム１１と、パネル１０の端部を移動フレーム１１に着脱可能に装着する装着金具１２とを備えており、移動フレーム１１が所定方向に移動してパネル１０の端部の片面に当接したときに、同時に、装着金具１２によりパネル１０が移動フレーム１１に装着される。【選択図】  図５
2006017413.tif 000002
【特許請求の範囲】
【請求項１】
冷凍車又は冷蔵車の庫内を仕切るパネルと、庫内において所定方向に移動可能に設けられた移動フレームと、前記パネルの端部を前記移動フレームに着脱可能に装着する装着手段とを備え、
前記移動フレームが前記パネルの端部の片面に当接した状態で、前記装着手段により前記パネルが前記移動フレームに着脱可能に装着されることを特徴とする冷凍車又は冷蔵車庫内の中仕切り壁。
【請求項２】
前記移動フレームが前記所定方向に移動して前記パネルの端部の片面に当接したときに、同時に、前記装着手段により前記パネルが前記移動フレームに装着されるように構成されていることを特徴とする請求項１に記載の冷凍車又は冷蔵車庫内の中仕切り壁。
【請求項３】
前記パネルは、前記装着手段により前記移動フレームに対して回動自在に装着されることを特徴とする請求項１又は２に記載の冷凍車又は冷蔵車庫内の中仕切り壁。
【請求項４】
前記パネルは、庫内においてその面に平行な方向に並ぶ複数の分割パネルに分割され、これら複数の分割パネルが前記装着手段により夫々前記移動フレームに着脱可能に装着されることを特徴とする請求項１〜３の何れかに記載の冷凍車又は冷蔵車庫内の中仕切り壁。
【請求項５】
前記移動フレームは、長さ調節可能に構成されていることを特徴とする請求項１〜４の何れかに記載の冷凍車又は冷蔵車庫内の中仕切り壁。
【発明の詳細な説明】
【技術分野】
【０００１】
本発明は、冷凍車又は冷蔵車庫内を２室以上に仕切る中仕切り壁に関するものである。
【背景技術】
【０００２】
管理温度の異なる複数種類の荷物を一度に運ぶことができるようにするために、冷凍車又は冷蔵車の庫内を２室以上に仕切る中仕切り壁として、発泡ウレタン等の断熱性のパネルを有し、庫内においてパネルを前後に移動させて庫内の所定の位置に設置することが可能であり、さらに、庫内を仕切らない場合にはパネルを天井へはね上げて収納することが可能なものがある。しかし、パネルを天井へはね上げた状態ではパネルが内壁から部分的に突出しているために、パネルが荷物の積み込み作業や積み下ろし作業の邪魔になる。また、パネルが庫内へ突出している分、積載効率が低下するし、さらには、突出したパネルが冷気循環の妨げになる場合もある。
【０００３】
このような問題を解決することが可能な中仕切り壁として、例えば、特許文献１には、前後方向に延びる左右２本のガイドレールを介して前後に移動可能に設けられた横棒に、４つの吊下げベルトを介してパネルが着脱自在に吊り下げられた中仕切り壁が記載されている。この中仕切り壁においては、パネルで庫内を仕切らない場合には、パネルを天井へはね上げる他に、パネルを庫内から取り外すこともできるようになっている。
【０００４】
【特許文献１】実用新案登録第２５６３７１５号公報（第３頁、図１、図２及び図７）
【発明の開示】
【発明が解決しようとする課題】
【０００５】
しかし、前記特許文献１に記載の中仕切り壁においては、パネルを横棒に取り付ける場合には、４つの吊下げベルトをパネルに１つずつ装着する必要があるため、取り付け作業に手間がかかる。さらに、このとき、横棒を４つの吊下げベルトに挿通させてパネルを横棒に取り付けることになるが、サイズ及び重量の比較的大きいパネルを前後に移動する横棒に対して位置決めして取り付けることはかなり困難である。
【０００６】
本発明の目的は、冷凍車又は冷蔵車庫内におけるパネルの取り付けを容易に行うことのできる中仕切り壁を提供することである。
【課題を解決するための手段及び発明の効果】
【０００７】
第１の発明の冷凍車又は冷蔵車庫内の中仕切り壁は、冷凍車又は冷蔵車の庫内を仕切るパネルと、庫内において所定方向に移動可能に設けられた移動フレームと、前記パネルの端部を前記移動フレームに着脱可能に装着する装着手段とを備え、前記移動フレームがパネルの端部の片面に当接した状態で、前記装着手段により前記パネルが前記移動フレームに着脱可能に装着されることを特徴とするものである。
【０００８】
この中仕切り壁においては、冷凍車又は冷蔵車庫内を仕切るパネルは、このパネルに移動フレームが当接した状態で、装着手段により移動フレームに着脱可能に装着される。従って、パネルを直立状態に保持してから移動フレームをパネルに当接させることにより、移動フレームのパネルに対する位置を確実に決めてから、パネルを移動フレームに装着することができるため、パネルを移動フレームに容易に取り付けることができる。また、庫内でパネルを移動させる場合やパネルを庫内から取り外す場合における、パネルの取り扱い性を向上させるために、パネルと内壁との間にある程度隙間が形成されている場合でも、パネルの端部に当接する移動フレームにより、パネルと内壁との間の隙間を塞ぐことができるため、シール性が向上する。
【０００９】
第２の発明の冷凍車又は冷蔵車庫内の中仕切り壁は、前記第１の発明において、前記移動フレームが前記所定方向に移動して前記パネルの端部の片面に当接したときに、同時に、前記装着手段により前記パネルが前記移動フレームに装着されるように構成されていることを特徴とするものである。従って、パネルに移動フレームを当接させるだけでパネルを移動フレームに取り付けることができ、パネルの取り付けが非常に容易になる。
【００１０】
第３の発明の冷凍車又は冷蔵車庫内の中仕切り壁は、前記第１又は第２の発明において、前記パネルは、前記装着手段により前記移動フレームに対して回動自在に装着されることを特徴とするものである。従って、パネルを庫内で移動させる際にパネルを移動フレームに対して回動させることにより、パネルを内壁から少し離して、パネルと内壁との抵抗を小さくすることができるため、パネルの移動が容易になる。また、パネルで庫内を仕切る必要のないときには、パネルを天井へはね上げることも可能になる。
【００１１】
第４の発明の冷凍車又は冷蔵車庫内の中仕切り壁は、前記第１〜第３の何れかの発明において、前記パネルは、庫内においてその面に平行な方向に並ぶ複数の分割パネルに分割され、これら複数の分割パネルが前記装着手段により夫々前記移動フレームに着脱可能に装着されることを特徴とするものである。このように、パネルが複数の分割パネルに分割されているため、パネルを庫内で移動させたり、あるいは、パネルを庫内から取り外したりすることがさらに容易になる。
【００１２】
第５の発明の冷凍車又は冷蔵車庫内の中仕切り壁は、前記第１〜第４の何れかの発明において、前記移動フレームは、長さ調節可能に構成されていることを特徴とするものである。従って、移動フレームの長さを適宜調節することにより、種々のサイズのパネルを移動フレームに取り付けることが可能になる。
【発明を実施するための最良の形態】
【００１３】
本発明の実施の形態について説明する。本実施形態は、冷凍車の庫内を２室以上に仕切る為のはね上げ式の中仕切り壁に本発明を適用した一例である。尚、冷凍車の先頭側（図１の紙面奥側）を前側として以下説明する。
図１に示すように、冷凍車１の庫内２には、この庫内２を前後方向（図１の紙面垂直方向）に２室以上に仕切る１又は複数の中仕切り壁３が設けられている。この中仕切り壁３は、図２に示すように、天井へはね上げて収納することが可能に構成されている。また、庫内２の両側の側壁４には夫々上下２本のラッシングレール５が設けられている。そして、これらラッシングレール５には内側へ突出する多数の係止部６が設けられており、これら係止部６に、中仕切り壁３で仕切られた荷室内に収納された荷物を固定するための荷締具用ベルト７の一端７ａが固定される。
【００１４】
次に、中仕切り壁３について説明する。
図１〜図５に示すように、中仕切り壁３は、庫内２を仕切るパネル１０と、天井８の近傍において前後方向に移動可能に設けられた移動フレーム１１と、パネル１０を移動フレーム１１に着脱可能に装着する２組の装着金具１２（装着手段）とを有する。
【００１５】
まず、パネル１０について説明する。
パネル１０は、庫内２において左右（面に平行な方向）に並ぶ２枚の分割パネル１０Ａ，１０Ｂに分割されている。２枚の分割パネル１０Ａ，１０Ｂの表面の上部の位置には夫々取っ手１３が設けられている。尚、図３に示すように、分割パネル１０Ａ，１０Ｂを前後方向に移動させる際に、冷凍庫１の天井８の右側に設けられたダクト１５（図５参照）を右側の分割パネル１０Ｂが避けることができるように、右側の分割パネル１０Ｂの上端部右側部分には切欠部１４が形成されている。
【００１６】
図４に示すように、本実施形態の分割パネル１０Ａ，１０Ｂは、発泡倍率３０倍のポリエチレンの独立発泡体２０の両面に、互いに平行なリブを有するポリエチレン製の中空樹脂体２１ａ，２１ｂが貼着され、さらに、ポリエチレン中空樹脂体２１ａ，２１ｂの表面に、ポリエチレン等の合成樹脂の発泡シート２２と、ＰＶＣターポリン等の合成樹脂シート２３とが貼着された構造を有する。このように、発泡シート２２及び合成樹脂シート２３によって、中空樹脂体２１ａ，２１ｂの表面が覆われているため、表面が柔軟になり、その内部が保護されるとともに、表面に傷がつきにくくなっている。
【００１７】
ポリエチレン製の中空樹脂体２１ａ，２１ｂは、平行な２枚の板部材の間にリブ２８ａ，２８ｂが一体的に設けられた構造を有する。一方のポリエチレン中空樹脂体２１ａのリブ２８ａは分割パネル１０Ａ，１０Ｂの縦方向に延在し、他方のポリエチレン中空樹脂体２１ｂのリブ２８ｂは分割パネル１０Ａ，１０Ｂの横方向に延在し、リブ２８ａとリブ２８ｂは直交している。そのため、分割パネル１０Ａ，１０Ｂは縦方向及び横方向に剛性を有する。
【００１８】
分割パネル１０Ａ，１０Ｂの縁部には、断面蒲鉾状の発泡倍率５０倍のウレタンスポンジ２４と、このウレタンスポンジ２４の表面を覆う伸縮性を有する基布２５が設けられている。基布２５は、伸縮性を有するニット布２６のウレタンスポンジ２４側にポリウレタンフィルム２７がラミネートされたものである。尚、庫内２の底面９（図１、図２参照）には分割パネル１０Ａ，１０Ｂの自重が作用するため、底面９と分割パネル１０Ａ，１０Ｂとの間のシール性を確保するためには、分割パネル１０Ａ，１０Ｂの下端部にそれほど発泡倍率の高いポリエチレン発泡体を設ける必要はない。例えば、図３に示すように、分割パネル１０Ａ，１０Ｂの下端部に、圧縮歪みの小さい発泡倍率１０倍のポリエチレン発泡体３０が貼り付けられ、さらに、その表面がＰＶＣシート３１で覆われた構造でも、十分なシール性を確保できる。
【００１９】
次に、移動フレーム１１について説明する。
図５〜図８に示すように、庫内２の天井８には、前後方向に延びる２組のレール３２が設けられている。そして、２枚の分割パネル１０Ａ，１０Ｂに夫々対応する２つの移動フレーム１１が、夫々２組のレール３２において前後方向に移動可能に設けられている。尚、２つの移動フレーム１１は同じ構造を有するため、以下、左側の移動フレーム１１について説明する。移動フレーム１１は、左右方向に延びるビーム４０と、このビーム４０の左右両側に夫々設けられた２つのスライダ４１を有する。
【００２０】
図８に示すように、スライダ４１は、上方に開口するコの字形の断面形状を有し、スライダ４１はビーム４０にスライド可能に外嵌されている。また、ビーム４０はスライダ４１の内面に設けられたボルト４２に係合しており、スライダ４１がビーム４０から外れて落下しないように構成されている。さらに、図５に示すように、スライダ４１をビーム４０に固定する為のボルト４３も設けられている。つまり、２つのスライダ４１を所定の位置にスライド移動させた後にボルト４３によりスライダ４１をビーム４０に固定して、分割パネル１０Ａの幅に合わせて移動フレーム１１の長さを調節することが可能になっている。従って、移動フレーム１１の長さを適宜調節することにより、種々のサイズの分割パネル１０Ａを移動フレーム１１に取り付けることが可能である。
【００２１】
図６、図７に示すように、スライダ４１のレール３２側の端部は、夫々断面Ｌ字状の受け部材４４の水平壁部４４ａに受け止められ、さらに、スライダ４１の端部はボルト４５により水平壁部４４ａに固定されている。受け部材４４の鉛直壁部４４ｂには、レール３２に接する前後２つのローラーベアリング４６が夫々回転自在に枢支されている。そのため、移動フレーム１１は、その両端に位置するローラーベアリング４６を介してレール３２上を前後方向に移動可能に構成されている。尚、受け部材４４には、ローラーベアリング４６がレール３２から外れるのを防止する前後２つのストッパー４７がボルト及びナットにより固定されている。
【００２２】
また、図３、図５及び図７に示すように、分割パネル１０Ａの上端部の両側部分は、レール３２及び受け部材４４と干渉しないように部分的に切りかかれている。そこで、この切りかかれた部分においてシール性が低下しないように、移動フレーム１１の両端部の上側には、夫々発泡ウレタン等からなる断熱材４８が設けられている。さらに、この断熱材４８と天井８との間には、シール性をさらに向上させるとともに移動フレーム１１が前後に動く際の天井８との間の摩擦を低減することが可能な、合成樹脂製のブラシ４９が介装されている。
【００２３】
尚、図５に示すように、本実施形態の冷凍車１においては、天井８の右端の位置にダクト１５が配設されている。そこで、右側の移動フレーム１１がこのダクト１５を避けて前後に移動することができるように、右側の移動フレーム１１においては、左右両側のスライダ４１が受け部材４４の下側に固定されており、右側の移動フレーム１１は左側の移動フレーム１１に対してやや低い位置に設けられている。
【００２４】
次に、装着金具１２について説明する。ここで、２組の装着金具１２は同じ構造を有するため、左側の分割パネル１０Ａを移動フレーム１１に装着するための１組の装着金具１２について以下説明する。
図５、図８に示すように、１組の装着金具１２は、分割パネル１０Ａに固定された本体金具５０と、このロック本体に係合可能なＵ字状の係合金具５１からなる。本体金具５０は、２枚の板部材５２と、これら２枚の板部材５２の間に配設され、係合金具５１に係合する係合位置（図８の実線の位置）と係合解除位置（図８の鎖線の位置）とに亙って板部材５２に対して回動可能に設けられた爪部材５３と、この爪部材５３を係合解除位置に移動させる為の操作部材５４とを有する。尚、図８においては、紙面手前側の板部材５２しか示されていないが、実際には、紙面奥側に、この板部材５２と対向する別の板部材５２が設けられている。
【００２５】
図８に示すように、本体金具５０は、２枚の板部材５２が鉛直面と平行な状態で分割パネル１０Ａの端部（直立状態における上端部）に固定されている。板部材５２の後側（図８における右側）の部分には凹部５２ａが形成されており、この凹部５２ａ内で爪部材５３の端部が図８の矢印ａの方向に回動するようになっている。一方、Ｕ字状の係合金具５１は直立状態の分割パネル１０Ａに平行な状態で移動フレーム１１のスライダ４１の下面に固定されており、その水平部５１ａは凹部５２ａと同じ高さに位置している。そして、分割パネル１０Ａを直立状態に保持してから、移動フレーム１１を前方（矢印ｂの方向）に移動させて分割パネル１０Ａの上端部に当接させると、移動フレーム１１側の係合金具５１の水平部５１ａが凹部５２ａ内に挿入される。このとき、挿入された水平部５１ａにより爪部材５３が操作されて、爪部材５３が係合解除位置（図８の鎖線の位置）から係合位置（図８の実線の位置）に回動して水平部５１ａに係合し、係合金具５１の水平部５１ａが凹部５２ａ内で前後方向に移動不能に規制される。このように、係合位置にある爪部材５３と係合金具５１とが係合すると、分割パネル１０Ａが移動フレーム１１から吊り下げられた状態となる。さらに、分割パネル１０Ａは、係合金具５１の水平部５１ａを中心に移動フレーム１１に対して回動可能な状態になり、図２に示すように、分割パネル１０Ａを回動させて天井８にはね上げることが可能となる。
【００２６】
操作部材５４は板部材５２に対して回動可能に設けられており、この操作部材５４には紐５５が取り付けられている。そして、操作部材５４は、紐５５を下方に引っ張ったときにやや下方の位置（図８の鎖線の位置）に移動し、さらに、この操作部材５４の下降動作に連動して爪部材５３が係合位置から係合解除位置に切り換わるように構成されている。つまり、紐５５を介して操作部材５４を下方に移動させるだけで、爪部材５３と係合金具５１との係合状態を解除して、分割パネル１０Ａを移動フレーム１１から取り外すことができるようになっている。
【００２７】
尚、本実施形態の中仕切り壁３においては、分割パネル１０Ａ，１０Ｂをはね上げた状態で分割パネル１０Ａ，１０Ｂの端部（直立状態における下端部）を天井８に保持する場合にも、前述の装着金具１２が用いられている。即ち、図９に示すように、本体金具５０が天井８に固定され、一方、係合金具５１が分割パネル１０Ａ，１０Ｂの下端部に固定されている（図３参照）。そのため、図８に示すように装着金具１２を介して分割パネル１０Ａ，１０Ｂを移動フレーム１１に対して回動させてから、分割パネル１０Ａ，１０Ｂの下端部に固定された係合金具５１を天井８の本体金具５０に係合させて、分割パネル１０Ａ，１０Ｂを天井８にはね上げた状態で保持することができる。また、この保持状態から操作部材５４に取り付けられた紐５５を引っ張ることにより、係合金具５１と本体金具５０の係合状態を解除して、分割パネル１０Ａ，１０Ｂを簡単に下へ降ろすことができる。
【００２８】
次に、分割パネル１０Ａ，１０Ｂを移動フレーム１１に対して着脱する際の、中仕切り壁３の作用について説明する。
まず、分割パネル１０Ａ，１０Ｂを移動フレーム１１に装着する場合には、図５、図８に示すように、取っ手１３を持って分割パネル１０Ａ，１０Ｂを直立状態に保持しながら、移動フレーム１１を前方（図８の矢印ｂの方向）に移動させ、移動フレーム１１を分割パネル１０Ａ，１０Ｂの上端部に当接させる。このとき、移動フレーム１１に固定された係合金具５１が、分割パネル１０Ａ，１０Ｂに設けられた本体金具５０に係合して、係合金具５１が前後方向に移動不能に規制され、係合金具５１により吊り下げられた状態で分割パネル１０Ａ，１０Ｂが移動フレーム１１に装着される。そして、左右２枚の分割パネル１０Ａ，１０Ｂは夫々左右の移動フレーム１１とともに前後に移動できるようになる。
【００２９】
尚、この状態では、分割パネル１０Ａ，１０Ｂは装着金具１２を介して移動フレーム１１に対して回動自在に装着されている。従って、パネル１０を前後方向に移動させる際には、分割パネル１０Ａ，１０Ｂを夫々持ち上げて底面９から少し離して、分割パネル１０Ａ，１０Ｂと底面９との抵抗が小さくすることができるため、パネル１０の移動が容易になる。
【００３０】
一方、分割パネル１０Ａ，１０Ｂを移動フレーム１１から取り外す場合には、操作部材５４に取り付けられた紐５５を引き、操作部材５４を少し下方へ移動させる。すると、この操作部材５４の下降動作に連動して本体金具５０と係合金具５１との係合状態が解除されるため、分割パネル１０Ａ，１０Ｂが移動フレーム１１から外れ、分割パネル１０Ａ，１０Ｂを冷凍庫の外へ運び出すことができる。
【００３１】
以上説明した中仕切り壁３によれば次のような効果が得られる。
分割パネル１０Ａ，１０Ｂを直立状態に保持してから移動フレーム１１をパネル１０に当接させて、パネル１０と移動フレーム１１の位置決めを行ってから、パネル１０を移動フレーム１１に装着することができる。さらに、パネル１０に移動フレーム１１を当接させるだけで、装着金具１２によりパネル１０が移動フレーム１１に装着されるため、パネル１０の取り付けが非常に容易になる。また、紐５５を引っ張ることにより操作部材５４を操作するだけで、パネル１０を移動フレーム１１から取り外すことができ、パネル１０の取り外しも容易である。
【００３２】
分割パネル１０Ａ，１０Ｂは、装着金具１２により移動フレーム１１に対して回動自在に装着されるため、パネル１０を庫内２で移動させる際に分割パネル１０Ａ，１０Ｂを内壁から少し離して、分割パネル１０Ａ，１０Ｂと底面９との抵抗を小さくすることができるため、パネル１０の移動が容易になる。また、パネル１０で庫内２を仕切る必要がないときには、分割パネル１０Ａ，１０Ｂを天井８へはね上げることも可能になる。
【００３３】
パネル１０が左右２枚の分割パネル１０Ａ，１０Ｂに分割されているため、パネル１０を庫内２で前後に移動させたり、あるいは、パネル１０を庫内２から取り外したりする作業が容易になる。
さらに、移動フレーム１１の長さを調節することができるため、種々のサイズのパネル１０を移動フレーム１１に取り付けることが可能になる。
【００３４】
次に、前記実施形態に種々の変更を加えた変更形態について説明する。但し、前記実施形態と同様の構成を有するものについては、同じ符号を付して適宜その説明を省略する。
１］パネル１０を前後に移動させたり、あるいは、庫内２から取り外したりする際の、取り扱い性を向上させるために、前記実施形態よりもパネル１０の高さを少し低くして、パネル１０と天井８との間に所定の隙間が形成されるようにしてもよい。この場合でも、移動フレーム１１によりその隙間をある程度塞ぐことができるため、シール性が向上する。さらに、前記実施形態の断熱材４８及びブラシ４９（図７参照）を移動フレーム１１の上側においてその長さ方向に連続的に設けることにより、さらにシール性を向上させることができる。
【００３５】
２］パネルは、前記実施形態のように２以上の複数枚の分割パネルに分割されていてもよいが、分割されていない１枚のパネルであってもよい。また、パネルとしては、従来から知られている種々の構造のものを採用することができる。例えば、合成樹脂発泡体のみで構成された簡単な構造のパネルであってもよいし、あるいは、加圧エアが注入されたエアーボードであってもよい。
【００３６】
３］前記実施形態は、庫内を前後に仕切る中仕切り壁に本発明を適用した一例であるが、庫内を左右に仕切る中仕切り壁にも本発明を適用できる。この場合には、庫内２において、移動フレーム１１は左右方向に移動可能に設けられ、この移動フレーム１１に、前記実施形態の装着金具１２等の装着手段によりパネル１０が着脱可能に装着される。
【００３７】
４］パネル１０を移動フレーム１１に装着する装着手段としては、前記実施形態の装着金具１２のように、移動フレーム１１をパネル１０に当接させると同時にパネル１０を移動フレーム１１に装着する構成のものに限定されず、移動フレーム１１がパネル１０に当接している状態でパネル１０を移動フレーム１１に着脱可能に装着できるものであれば、種々の構造のものを採用できる。
【００３８】
５］前記実施形態は、本発明を冷凍車の中仕切り壁に適用したときの一例であるが、冷蔵車の中仕切り壁に適用することもできる。
【図面の簡単な説明】
【００３９】
【図１】本発明の実施形態に係る冷凍車（中仕切り壁設置状態）を後方から見た図である。
【図２】冷凍車（中仕切り壁はね上げ状態）を後方から見た図である。
【図３】パネルの正面図である。
【図４】パネルの一部切欠拡大図である。
【図５】中仕切り壁上部の正面図である。
【図６】図５のVI-VI線断面図である。
【図７】図５の移動フレームの端部付近の拡大図である。
【図８】図５のVIII-VIII線断面図である。
【図９】分割パネルが天井に保持された状態における部分拡大断面図である。
【符号の説明】
【００４０】
１    冷凍車
２    庫内
３    中仕切り壁
１０  パネル
１０Ａ，１０Ｂ    分割パネル
１１  移動フレーム
１２  装着金具
【図１】
2006017413.tif 000003
【図２】
2006017413.tif 000004
【図３】
2006017413.tif 000005
【図４】
2006017413.tif 000006
【図５】
2006017413.tif 000007
【図６】
2006017413.tif 000008
【図７】
2006017413.tif 000009
【図８】
2006017413.tif 000010
【図９】
2006017413.tif 000011